(57)【要約】【課題】扉に対する開閉板の取付角度を精度よく調節でき、開閉板とケース部の他部との密接性を高め、もってケース部内の気密性を保つことができ、さらに、扉の開閉機構を簡素化できるとともに、体裁をよくすることができるようにした展示ケースを提供することを目的としている。【解決手段】前面が開口する箱状の基台本体上に、一部が透明材料により形成された、前面が開口する箱状のケース本体を設け、基台本体の前面に設けた扉７に、ケース本体の前面開口部を開閉する開閉板３１の下部を取り付けた展示ケースにおいて、扉７に、開閉板３１の下部の局所と扉７との離間距離を調整する調整手段５０と、この調整手段５０により調整した状態で、開閉板３１の下部を扉７に固着する固着手段５１とを設ける。【選択図】  図６
2015195946.tif 000002
【特許請求の範囲】
【請求項１】
前面が開口する箱状の基台本体上に、少なくとも一部が透明または透光性材料により形成された、前面が開口する箱状のケース本体を設け、前記基台本体の前面に、前記基台本体の前面開口部を開閉する扉を設け、前記扉に、前記ケース本体の前面開口部を開閉する開閉板の下部を取り付けた展示ケースにおいて、
前記扉に、前記開閉板の下部の局所と扉との離間距離を調整する調整手段と、この調整手段により前記開閉板の下部の局所と扉との離間距離を調整した状態で、開閉板の下部を扉に固着する固着手段とを設けたことを特徴とする展示ケース。
【請求項２】
扉の一方の側端部を、上下方向を向く軸をもって基台本体に枢着し、前記扉を横開き扉とした請求項１記載の展示ケース。
【請求項３】
調整手段を、扉と開閉板とのいずれか一方に設けた前後方向を向く雌ねじ孔に螺合し、前記雌ねじ孔より突出する先端が扉と開閉板とのいずれか他方に当接するようにした雄ねじとした請求項１または２記載の展示ケース。
【請求項４】
調整手段を、上端に設けた前方を向く下向係止片を扉の後面に設けた突部に係止し、下端に設けた後方を向く受け片をもって開閉板の下端を受止し、前記下向係止片より下方に設けた前後方向を向く雌ねじ孔に、先端が扉の後面に当接するようにした雄ねじが螺合するようにした受け板を備えるものとした請求項１〜３のいずれかに記載の展示ケース。
【請求項５】
固着手段を、調整手段により前記開閉板の下部の局所と扉との離間距離を調整した状態で、開閉板の下部と扉とを締めつけて固定するボルトとナットとを備えるものとした請求項１〜４のいずれかに記載の展示ケース。
【発明の詳細な説明】
【技術分野】
【０００１】
本発明は、美術館や博物館の展示スペース等において、展示品を安全に展示および保管するために使用される展示ケースに関する。
【背景技術】
【０００２】
この種の展示ケース、特に、床面上に独立して載置される、いわゆる行灯型の展示ケースは、床面上に載置される基台と、この基台上に配設された展示物載置台と、展示物載置台上に載置された展示物を覆うように基台上に配設され、少なくとも一部が透明または透光性材料により形成されたケース部とを備えているものが多い(例えば特許文献１〜５参照)。
ケース部の上部には、照明器具等を備えた蓋体を設けることもある。
【先行技術文献】
【特許文献】
【０００３】
【特許文献１】特許第４４１４５２７号公報
【特許文献２】特許第５３１８５２９号公報
【特許文献３】特許第５３１８５３０号公報
【特許文献４】特許第５０１１５５１号公報
【特許文献５】特許第５３６９２８９号公報
【発明の概要】
【発明が解決しようとする課題】
【０００４】
上記のような従来の展示ケースにおいては、展示物載置台上に展示物を出し入れするため、何らかの形でケース部の全部または一部を開閉できるようにする必要がある。
特許文献１においては、透明板からなる展示部(ケース部)の一辺を扉とし、この扉を、出没機構により前後方向に移動させ、次いで、摺動機構により水平方向に移動させ、さらに回転機構により、垂直軸回りに回転させるようにしている。
この特許文献１の発明においては、扉を、残りの展示部に対して密接させ、気密性を保つことができるが、上記の３種類の機構を必要とし、構造が複雑化するという問題がある。
【０００５】
特許文献２〜５においては、ケース本体(ケース部)を昇降手段により基台から上昇させるようにしてあるが、これによると、昇降手段を必要とし、構造が複雑化するとともに、ケース本体の上方に移動のための大きな空間を必要とする等の問題がある。
【０００６】
そのため、ケース部の一構成部材である前面板または側面板を、他部より分離して開閉板とし、この開閉板を、基台の前面(または側面)を開閉する扉の上端に固着し、扉の開閉に伴って、開閉板もケース部の他部の前面開口部を開閉するようにするのが好ましいが、このような場合、扉に対する開閉板の取り付け時の位置や角度がわずかでも狂うと、開閉板とケース部の他部の前面開口部との密接性が損なわれ、ケース部内の気密性が保てなくなるおそれがある。
特に、大型の展示ケースにおいては、開閉板の重量が大となり、扉に開閉板を取り付ける前と後とにおいて、扉の傾きに変化が生じることがあり、それを調整する必要がある。
また、扉を閉じたときの開閉板の上部とケース部の他部との密接性をよくするために、開閉板を扉に対して予めわずかに後傾させておくことが好ましく、その後傾角度を調整する必要もある。
【０００７】
本発明は、従来の技術が有する上記のような問題点に鑑みてなされたもので、扉に対する開閉板の取付角度を精度よく調節でき、開閉板とケース部の他部との密接性を高め、もってケース部内の気密性を保つことができ、さらに、扉の開閉機構を簡素化できるとともに、体裁をよくすることができるようにした展示ケースを提供することを目的としている。
【課題を解決するための手段】
【０００８】
本発明によると、上記課題は、次のようにして解決される。
（１）前面が開口する箱状の基台本体上に、少なくとも一部が透明または透光性材料により形成された、前面が開口する箱状のケース本体を設け、前記基台本体の前面に、前記基台本体の前面開口部を開閉する扉を設け、前記扉に、前記ケース本体の前面開口部を開閉する開閉板の下部を取り付けた展示ケースにおいて、
前記扉に、前記開閉板の下部の局所と扉との離間距離を調整する調整手段と、この調整手段により前記開閉板の下部の局所と扉との離間距離を調整した状態で、開閉板の下部を扉に固着する固着手段とを設ける。
【０００９】
このような構成によると、調整手段により、開閉板の下部の局所と扉との離間距離を調整した状態で、または調整しつつ、開閉板の下部を、固着手段をもって扉に固着することにより、扉に対する開閉板の取付角度を精度よく調節でき、開閉板とケース本体との密接性を高め、もってケース部内の気密性を保つことができ、さらに、扉の開閉機構を簡素化できるとともに、体裁をよくすることができる。
【００１０】
（２）上記(１)項において、扉の一方の側端部を、上下方向を向く軸をもって基台本体に枢着し、前記扉を横開き扉とする。
【００１１】
このような構成によると、扉の開閉機構を簡単な構造とすることができる。
【００１２】
（３）上記(１)または(２)項において、調整手段を、扉と開閉板とのいずれか一方に設けた前後方向を向く雌ねじ孔に螺合し、前記雌ねじ孔より突出する先端が扉と開閉板とのいずれか他方に当接するようにした雄ねじとする。
【００１３】
このような構成によると、雄ねじの雌ねじ孔からの突出量を変更することにより、開閉板の下部の局所と扉との離間距離を簡単に調整することができるとともに、調整手段の構造を簡素化することができる。
【００１４】
（４）上記(１)〜(３)項のいずれかにおいて、調整手段を、上端に設けた前方を向く下向係止片を扉の後面に設けた突部に係止し、下端に設けた後方を向く受け片をもって開閉板の下端を受止し、前記下向係止片より下方に設けた前後方向を向く雌ねじ孔に、先端が扉の後面に当接するようにした雄ねじが螺合するようにした受け板を備えるものとする。
【００１５】
このような構成によると、受け板の下向係止片を扉の後面に設けた突部に係止し、受け板の受け片に開閉板の下端を受止させた状態で、扉に対する開閉板の角度調整作業を容易に行うことができる。
【００１６】
（５）上記(１)〜(４)項のいずれかにおいて、固着手段を、調整手段により前記開閉板の下部の局所と扉との離間距離を調整した状態で、開閉板の下部と扉とを締めつけて固定するボルトとナットとを備えるものとする。
【００１７】
このような構成によると、固着手段の構造を簡素化することができるとともに、安価に製作することができる。
【発明の効果】
【００１８】
本発明によると、扉に対する開閉板の取付角度を精度よく調節でき、開閉板とケース部の他部との密接性を高め、もってケース部内の気密性を保つことができ、さらに、扉の開閉機構を簡素化できるとともに、体裁をよくすることができるようにした展示ケースを提供することができる。
【図面の簡単な説明】
【００１９】
【図１】本発明の展示ケースの一実施形態における扉を閉じたときの外観斜視図である。
【図２】同じく、扉を開いたときの外観斜視図である。
【図３】同じく、基台部分の主要な部材の分解斜視図である。
【図４】図１におけるIV−IV線拡大縦断正面図である。
【図５】図１におけるV−V線拡大縦断側面図である。
【図６】図１におけるVI−VI線拡大横断平面図である。
【図７】扉および開閉板の分解斜視図である。
【図８】図１のVIII−VIII線拡大縦断正面図である。
【図９】基台部分の中央縦断正面図である。
【発明を実施するための形態】
【００２０】
以下、本発明の展示ケースの一実施形態を、図面を参照して説明する。
図１は、本発明の展示ケースの一実施形態における扉を閉じたときの外観斜視図、図２は、同じく、扉を開いたときの外観斜視図、図３は、同じく、分解斜視図である。
【００２１】
この展示ケースは、床面１(図４参照)上に載置される基台２と、基台２上に配設された展示物載置台３と、展示物載置台３上に載置された展示物４を覆うように基台３上に配設され、少なくとも一部が透明または透光性材料により形成されたケース部５とを備えている。
【００２２】
基台２は、前面が開口する箱状の基台本体６と、その前面開口部を開閉する扉７とにより構成され、基台本体６は、直方体の枠状をなすフレーム８と、左右の側面と後面とに着脱可能として設けられた左側面カバー９、右側面カバー１０、および後面カバー１１と、フレーム８の上面における外側の縁部に設けられた枠材１２、１３とを備えている。
なお、この実施形態においては、基台本体６における開口を有する面を、便宜上前面としたが、実際の使用にあたっては、この開口を有する面を、側面または後面とすることもある。
【００２３】
フレーム８は、４本の脚柱１４を、前後方向および左右方向を向く上下２段の横連結杆１５をもって、それぞれ溶接等により連結し、かつ上部に、対角線状の補強杆１６を設けることにより、ほぼ直方体の枠状に形成されている。
フレーム８における前面開口部の一方の側部には、上下方向を向くヒンジ取付用補強材１７の上下の端部が、上下の横連結杆１５、１５にそれぞれ固着されている。
【００２４】
フレーム８の下面における４箇所の内隅部には、コーナーブラケット１８が設けられ、その下面にはキャスタ１９が、また下方の横連結杆１５、１５のコーナー部の下面には、高さ調節可能の接床部材２０が設けられている(図４参照)。
【００２５】
フレーム８の上面における左右の側縁部と後縁部には、図４に示すように、上面、外側面、および内側面に、それぞれ長手方向を向く凹溝２１、２２、２３を設けた枠材１２が、同じく前縁部には、図５に示すように、凹溝２１、２２を備えない枠材１３が、それぞれ設けられている。
【００２６】
枠材１２、１３は、アルミニウム合金の押出材からなり、図４に示すように、枠材１２の外側部の上面に、上記凹溝２１が設けられ、この凹溝２１の外側縁部には、拡幅段部２１ａが設けられている。
枠材１２の外側面における下部には、開口部より奥部が上方に向かって拡幅するあり溝状の凹溝２２が設けられている。
【００２７】
枠材１２の内側面には、展示物載置台３を支持するための内向き片２４が設けられており、この内向き片２４の上面には、底面が波形をなし、かつその外側部に上向き突条２５ａを有する浅い凹条２５が形成されており、この凹条２５の下方には、断面形状が上向きコ字状をなす中空部２６が形成されている。
また、枠材１２における内向き片２４の内側面には、開口部より奥部が上方に拡幅するあり溝状とした上記凹溝２３が設けられている。
【００２８】
各枠材１２は、図８に示すように、その内向き片２４における中空部２６の上方に設けた作業孔２７より、中空部２６の下方に設けたねじ挿通孔２８に挿通させた止めねじ２９をもって、フレーム８の上面に固着されている。
【００２９】
枠材１３は、図５に示すように、枠材１２を、その凹溝２１の内側の面に沿って切除し、かつそのとき開口した中空部２６の外側端を閉塞したのと同様の断面形を有しており、枠材１２におけるのと同様の内向き片２４と凹条２５と凹溝２３と、外端部の形状が枠材１２におけるものと若干異なる中空部２６とを有している。
【００３０】
展示物載置台３は、台座３ａとクロス付きボード３ｂとの間に、格子状の補強材３ｃを挟んで互いに固着したものよりなり、台座３ａの周縁部より垂下する短寸の垂下片３ｄが、枠材１２、１３における上向き突条２５ａの外側に位置するようにして、台座３ａの下面を、枠材１２、１３における内向き片２４上に載置することにより支持されている。
【００３１】
ケース部５は、前面が開口する箱状のケース本体３０と、下端部が基台２における扉７に取り付けられ、かつ扉の開閉に伴って、ケース本体３０の前面開口部を開閉する開閉板３１とにより構成されている。
ケース本体３０は、左右の側面板３２、３２と後面板３３と天板３４とからなり、それらの縁部同士は、コーキング材(図示略)をもって気密に固着されている。
開閉板３１、側面板３２、３２、後面板３３、および天板３４は、この実施形態においてはすべて透明の板ガラスにより形成してあるが、それらのうちの一部のみを透明または透光性材料により形成し、他部を不透明、または半透明の材料により形成することもある。
また、天板３４を、ボックス状に形成し、その中に照明装置やその他の機械、器具を配設することもある。
【００３２】
ケース本体３０における左右の側面板３２、３２および後面板３３の下端部は、基台２の上面における左右の縁部と後縁部とに配設された枠材１２における各凹溝２１に嵌合されることにより、ケース本体３０は、基台２上に安定よく支持されている。
枠材１２における各凹溝２１の内面と側面板３２および後面板３３の下端部との間には、コーキング材(図示略)が充填され、ケース本体３０は、基台２に対して、気密に固着されている。また、凹溝２１内には、スペーサ(図示略)を配設することもある。
【００３３】
図９に示すように、右側部の枠材１２における拡幅段部２１ａの外側の上縁には、右側面カバー１０の上端部に設けた内方を向く鉤形係止片１０ａが係止されている。
図示は省略してあるが、後部の枠材１２における拡幅段部２１ａの外側の上縁にも、後面カバー１１の上端部に設けた内方を向く鉤形係止片１１ａが係止されている。
【００３４】
しかし、図４に示すように、左側部の枠材１２における拡幅段部２１ａの外側の上縁には、左側面カバー９の上端部に設けた内方を向く鉤形係止片９ａは係止しないようにしてある。
【００３５】
図４に示すように、左側面カバー９の下端前後部には、前後方向を向く軸３５の両端部がブラケット３６をもって固着されており、各軸３５の中間部を、フレーム８における左側面の下方の横連結杆１５に固着したＶ字状の軸受片３７に受止させることにより、左側面カバー９の下端部は、軸３５回りに回動可能、かつ上方に離脱可能として、フレーム８に取り付けられている。
【００３６】
左側面カバー９のほぼ中央には、施錠装置３８が設けられている。
この施錠装置３８は、左側面カバー９の外側方からキー(図示略)を挿入して、所要角度回転させることにより、左側面カバー９の内面側に設けられたデッドボルト３９が、上下方向を向く施錠位置と、水平方向を向く解錠位置とに回動させられるようにした公知のものである。
【００３７】
図４に示すように、左側面カバー９の上端に折曲形成した内方を向く鉤形係止片９ａを、枠材１２における拡幅段部２１ａの外側縁部に係止し、かつ下端部の各軸３５をＶ字状の軸受片３７に受止させた状態で、施錠装置３８におけるデッドボルト３９を施錠位置とすると、デッドボルト３９の上端部が、フレーム８の左側面上部に取り付けられた前後方向を向く取付板４０における下端部を内方に折曲した底面に設けた係合孔４０ａ(または取付板４０の下端部後面)に係合して、左側面カバー９の外側方への移動が阻止されるようになっている。
また、このときの左側面カバー９の上方への移動は、施錠装置３８における左側面カバー９の内面側の部分が、取付板４０の下端に当接することによって阻止されるようになっている。
【００３８】
取付板４０は、展示ケースの一構成部材(付属部品を含む)をなすもので、図３および図４に示すように、左方の枠材１２の左側面における凹溝２２に、平面視において内方に向かって開口するコ字状をなし、かつ正面視において凹溝２２の断面形状とほぼ補形をなす前後１対の係止金具４１を、凹溝２２の開口部から嵌合し、各係止金具４１の中央に設けた雌ねじ孔４２に、取付板４０を貫通する止めねじ４３を螺合させて締めつけることにより、フレーム８の左側面上部に強固に取り付けられている。
【００３９】
左側面カバー９の内面における施錠装置３８の一部に、鎖４４の一端を係止し、鎖４４の他端部適所を、取付板４０の下部に設けたフック４５に係止することにより、図２に示すように、左側面カバー９を、軸３５を中心として、外側方に向かって斜めに開いた状態で保持し、基台２内部のメンテナンスを行えるようになっている。
【００４０】
図３および図４に示すように、枠材１２の内側面における凹溝２３には、展示ケースの一構成部材であり、かつ配線(図示略)を収容する左右方向を向く配線ボックス４６における左右の側板４６ａの上端部が、上記取付板４０の取付構造と同様の取付構造をもって取付けられている。
すなわち、左右の枠材１２の内側面における凹溝２３に、平面視において内方に向かって開口するコ字状をなし、かつ正面視において凹溝２２の断面形状とほぼ補形をなす前後１対の係止金具４１を、凹溝２３の開口部から嵌合し、各係止金具４１の中央に設けた雌ねじ孔４２に、配線ボックス４６の側板４６ａの上端部を貫通する止めねじ４３を螺合させて締めつけることにより、配線ボックス４６は、フレーム８における対角線状の補強杆１６を下方に避けるようにして、左右の端部が、左右の枠材１２、１２の内側面に強固に取り付けられている。
【００４１】
同様にして、枠材１２の外側面の凹溝２２、および内側面の凹溝２３を利用して、展示ケースの他の構成部材、例えば、調湿剤を収容する調湿ボックス等を取り付けることができる。
また、係止金具４１や止めねじ４３等を用いることなく、展示ケースの構成部材の一部に設けた係止片(図示略)を、凹溝２２、２３に単に係止させるだけとすることもある。
【００４２】
各枠材１２、１３における中空部２６には、それらの直角をなす角部の接合端部において、平面視Ｌ字状をなすコーナー部材(図示略)の各辺を嵌合して、ねじ止めすることにより、枠材１２、１３のコーナー部を補強するようになっている。
【００４３】
右側面カバー１０および後面カバー１１は、図３および図９に示すように、それらの上端の鉤形係止片１０ａ、１１ａを、対応する枠材１２における拡幅段部２１ａの外側の上縁に係止させた状態で、下端部中央の内面に固着したブラケット１０ｂ、１１ｂを、フレーム８における下部の横連結杆１５を水平に貫通するボルト６８をもって、各横連結杆１５の外側面に固着することにより、フレーム８の右側面および後面に、着脱可能として取り付けられている。
しかし、右側面カバー１０および後面カバー１１は、左側面カバー９と同様の構成をもって、フレーム８に取付けてもよく、また、その他の取付手段をもって、フレーム８に着脱可能として取付けてもよい。
【００４４】
右側面カバー１０および後面カバー１１における内面下部の両側部には、フレーム８における横連結杆１５の外側面に安全に当接するようにした緩衝部材６９が儲けられている。
【００４５】
図２、および図５〜図７に示すように、扉７は、表面板４７と、その内面側に配設され、かつ開閉板３１の下端部を受止する受け板４８と、開閉板３１より内方に配設され、受け板４８とともに開閉板３１の下部を前後から挟む押え板４９と、開閉板３１の下部の局所と表面板４７との離間距離を調整する調整手段５０と、この調整手段５０により開閉板３１の下部の局所と表面板４７との離間距離を調整した状態で、開閉板３１の下部を表面板４７に固着する固着手段５１とを備えている。
【００４６】
受け板４８は、上端に設けた前方を向く下向係止片４８ａを表面板４７の後面上部に設けた突部４７ａに係止し、下端に設けた後方を向く上向き鉤形の受け片４８ｂをもって開閉板３１の下端を受止するようになっている。
受け板４８における下向係止片４８ａより下方、この例では、下部の左右２箇所には、前後方向に貫通する雌ねじ孔５２を有するナット５３が設けられており、このナット５３の雌ねじ孔５２に螺合した雄ねじ５４の前端を、雌ねじ孔５２より前方に突出させて、表面板４７の後面に当接させることにより、受け板４８に取り付けた開閉板３１の下部の局所と表面板４７との離間距離を調整しうるようになっている。
すなわち、受け板４８に設けたナット５３の雌ねじ孔５２と、それに螺合させた雄ねじ５４とにより、開閉板３１の下部の局所と表面板４７との離間距離を調整して、扉７に対する開閉板３１の前後方向の傾斜角度を調整する調整手段５０が形成されている。また、左右の雄ねじ５４のナット５３からの突出量を変えることにより、扉７に対する開閉板３１の左右方向の傾斜角度をも調整することができる。
なお、受け板４８を省略し、ナット５３を開閉板３１に直接固着して実施することも可能である。また、ナット５３を表面板４７に設け、そのナット５３の雌ねじ孔５２に螺合させた雄ねじ５４の後端を開閉板３１の前面に当接させて、調整手段５０を形成することもできる。
【００４７】
表面板４７の後面には、後方を向く複数のボルト５５が上下２段として突設されており、それらに対応する受け板４８、開閉板３１、および押え板４９の部分には、ボルト５５が遊通するボルト挿通孔５６、５７、５８が設けられている。
また、受け板４８に設けたナット５３の雌ねじ孔５２に螺合する雄ねじ５４に対応する開閉板３１および押え板４９の部分には、雄ねじ５４をドライバー等の工具をもって回転させるための作業孔５９、６０が設けられている。
【００４８】
ボルト挿通孔５６、５７、５８を挿通して、押え板４９の後方に突出した各ボルト５５の後端部には、袋ナットとしたナット６１が螺合し、このナット６１を締め付けることにより、開閉板３１の下部を、受け板４８と押え板４９とによって前後から挟んだ状態で、また調整手段５０によって表面板４７に対する傾斜角度を調整した状態で、表面板４７の後面に固着することができるようになっている。
このボルト５５とナット６１とによって、調整手段５０により開閉板３１の下部の局所と扉７との離間距離を調整した状態で、開閉板３１の下部を扉７に固着する固着手段５１が形成されている。
【００４９】
表面板４７の後面における一方の側部には、上下方向を向く補強杆６３が設けられており、この補強杆６３を、図６に示すように、フレーム８における前方の一側部の脚柱１４に固定片６４ａを固着した上下１対のヒンジ６４における可動片６４ｂに固着した平面視クランク状のヒンジ補強片６５に固着することにより、扉７は、開閉板３１と一体となって、ヒンジ６４におけるヒンジ軸６４ｃを中心に回動しうるようにして、基台本体６に枢着されている。すなわち、扉７は、横開き扉としてある。
【００５０】
図２に示すように、扉７における表面板４７の遊端部には、後方に向かって延出し、かつ後端部が外向きＵ字状に折曲されたフック６６が設けられており、このフック６６を、フレーム８における前方の他側部の脚柱１４に設けたトグルクランプ６７に係合させて、後方に引き寄せることにより、扉７は基台本体６の前面開口縁部に密接させられ、かつ開閉板３１は、凹溝を有しない枠材１３に、当接または近接するようにして、ケース本体３０の前面開口縁部に密接させられる。
基台本体６の前面開口縁部、枠材１３の前面、およびケース本体３０の前面開口縁部には、扉７および開閉板３１との密接性をよくするためのシール材(図示略)を設けておくのが好ましい。
【００５１】
この展示ケースは、左側面カバー９を開いて、トグルクランプ６７からフック６６を外すことによって、扉７を基台本体６から、また開閉板３１をケース本体３０からそれぞれ前方に開き、展示物載置台３から展示物４を出し入れすることができ、また、上記と逆の手順で、扉７および開閉板３１、並びに左側面カバー９を閉じて、展示物４を体裁よく展示することができる。
【００５２】
本発明は、上記実施形態のみに限定されるものではなく、特許請求の範囲を逸脱することなく、例えば、次のような変形した態様での実施が可能である。
(１)  基台２、展示物載置台３およびケース部５の平面形状を、円形またはその他の形状とする。
(２)  枠材１２における拡幅段部２１ａを省略し、左側面カバー９の鉤形係止片９ａを、枠材１２における凹溝２１の外側の縁と側面板３２との間隙に嵌合係止させる。
(３)  左側面カバー９の鉤形係止片９ａを、枠材１２の外側面に設けた凹溝２２に嵌合係止させる。
(４)  雌ねじ孔５２を、扉７と開閉板３１とのいずれかに設け、この雌ねじ孔５２に螺合する雄ねじ５４の先端が、扉７と開閉板３１とのいずれかに当接するようにする。
【符号の説明】
【００５３】
１  床面
２  基台
３  展示物載置台
３ａ台座
３ｂクロス付きボード
３ｃ補強材
３ｄ垂下片
４  展示物
５  ケース部
６  基台本体
７  扉
８  フレーム
９  左側面カバー
９ａ鉤形係止片
１０  右側面カバー
１０ａ鉤形係止片
１０ｂブラケット
１１  後面カバー
１１ａ鉤形係止片
１１ｂブラケット
１２、１３  枠材
１４  脚柱
１５  横連結杆
１６  補強杆
１７  ヒンジ取付用補強材
１８  コーナーブラケット
１９  キャスタ
２０  接床部材
２１、２２、２３  凹溝
２１ａ拡幅段部
２４  内向き片
２５  凹条
２５ａ突条
２６  中空部
２７  作業孔
２８  ねじ挿通孔
２９  止めねじ
３０  ケース本体
３１  開閉板
３２  側面板
３３  後面板
３４  天板
３５  軸
３６  ブラケット
３７  軸受片
３８  施錠装置
３９  デッドボルト
４０  取付板(展示ケース構成部材)
４０ａ係合孔
４１  係止金具
４２  雌ねじ孔
４３  止めねじ
４４  鎖
４５  フック
４６  配線ボックス(展示ケース構成部材)
４６ａ側板
４７  表面板
４７ａ突部
４８  受け板
４８ａ下向係止片
４８ｂ受け片
４９  押え板
５０  調整手段
５１  固着手段
５２  雌ねじ孔
５３  ナット
５４  雄ねじ
５５  ボルト
５６、５７、５８  ボルト挿通孔
５９、６０  作業孔
６１  ナット
６３  補強杆
６４  ヒンジ
６４ａ固定片
６４ｂ可動片
６４ｃヒンジ軸
６５  ヒンジ補強片
６６  フック
６７  トグルクランプ
６８  ボルト
６９  緩衝部材
【図１】
2015195946.tif 000003
【図２】
2015195946.tif 000004
【図３】
2015195946.tif 000005
【図４】
2015195946.tif 000006
【図５】
2015195946.tif 000007
【図６】
2015195946.tif 000008
【図７】
2015195946.tif 000009
【図８】
2015195946.tif 000010
【図９】
2015195946.tif 000011